(57)【要約】  光学部品Ｌを収容するトレー１であって、トレー本体１２を備え、トレー本体１２には、当該トレー本体１２の上面１２aから下面１２b側に窪み光学部品Ｌが収容される複数の凹部１３が形成され、凹部１３の周囲に、当該凹部１３内に収容された光学部品Ｌを特定するための目印１７が形成されている。
2012026248.tif 000002
【特許請求の範囲】
【請求項１】
光学部品を収容するトレーであって、
トレー本体を備え、
前記トレー本体には、当該トレー本体の上面から下面側に窪み前記光学部品が収容される複数の凹部が形成され、
前記凹部の周囲に、当該凹部内に収容された光学部品を特定するための目印が形成されていることを特徴とするトレー。
【請求項２】
前記目印が、前記トレー本体の上面から上方に突出する凸形状又は下面に窪む凹形状であることを特徴とする請求項１に記載のトレー。
【請求項３】
前記複数の凹部は、縦横方向にそれぞれ規則的に並んでおり、
前記目印は、前記複数の凹部のうち、縦方向及び横方向においてそれぞれ一個飛び毎の前記凹部の周囲に形成されていることを特徴とする請求項１又は２に記載のトレー。
【請求項４】
前記凹部には、上下面を貫通する貫通孔が形成されていることを特徴とする請求項１〜３のいずれか一項に記載のトレー。
【請求項５】
前記貫通孔を形成する壁面は、下方に向けて前記貫通孔の直径が大きくなるように傾斜していることを特徴とする請求項４に記載のトレー。
【請求項６】
前記凹部には、前記凹部に収容された前記光学部品の出し入れを行うための溝部が、前記凹部に連通して形成されていることを特徴とする請求項１〜５のいずれか一項に記載のトナー。
【請求項７】
前記光学部品がピックアップレンズであることを特徴とする請求項１〜６のいずれか一項に記載のトレー。
【発明の詳細な説明】
【技術分野】
【０００１】
本発明は、トレーに関する。
【背景技術】
【０００２】
従来、レンズなどの光学部品は、複数の開口孔が形成された板状の第１及び第２のプレートを重ね合わせることによって構成されるトレーに収容されている。具体的には、第１のプレートの開口孔に光学部品を配置し、第２のプレートを重ね合わせて、第１及び第２のプレートの内面間で光学部品を挟持することによって、光学部品を収容している。そして、収容した光学部品の光学面に対して蒸着等のコートや検査を行い、その後、トレーを搬送・保管している（例えば、特許文献１参照）。
【先行技術文献】
【特許文献】
【０００３】
【特許文献１】特開２００７−１４５３７３号公報
【発明の概要】
【発明が解決しようとする課題】
【０００４】
しかしながら、上述のような第１及び第２のプレートに形成された開口孔は、格子状あるいは千鳥格子状に規則的に並んでおり、顕微鏡を使用して拡大倍率等で光学部品を観察する場合に、複数の光学部品が規則正しく収容されている。そのため、顕微鏡で見ている光学部品が、トレー上の複数の光学部品のうち、どれであるのかを特定することが困難であるという問題がある。
本発明は、上記事情に鑑みてなされたもので、顕微鏡で光学部品を拡大倍率等で観察する際に、観察している光学部品が、トレー上の複数の光学部品のうち、どれであるのかを容易に認識・特定することのできるトレーを提供することを目的としている。
【課題を解決するための手段】
【０００５】
本発明の一の態様によれば、光学部品を収容するトレーであって、
トレー本体を備え、
前記トレー本体には、当該トレー本体の上面から下面側に窪み前記光学部品が収容される複数の凹部が形成され、
前記凹部の周囲に、当該凹部内に収容された光学部品を特定するための目印が形成されていることを特徴とするトレーが提供される。
【発明の効果】
【０００６】
本発明によれば、トレー本体には、当該トレー本体の上面から下面側に窪み光学部品が収容される複数の凹部が形成され、凹部の周囲に目印が形成されているので、顕微鏡で光学部品を観察する際に、観察している光学部品が、トレー上の複数の光学部品のうち、どれであるのかを容易に認識・特定することができる。
【図面の簡単な説明】
【０００７】
【図１Ａ】トレーを構成するトレー本体を示した図であり、上面図である。
【図１Ｂ】トレーを構成するトレー本体を示した図であり、切断線I−Iに沿って切断した際の断面図である。
【図１Ｃ】トレーを構成するトレー本体を示した図であり、は切断線II−IIに沿って切断した際の断面図である。
【図１Ｄ】トレーを構成するトレー本体を示した図であり、下面図である。
【図２Ａ】トレーを構成する蓋を示した図であり、上面図である。
【図２Ｂ】トレーを構成する蓋を示した図であり、切断線III−IIIに沿って切断した際の断面図である。
【図２Ｃ】トレーを構成する蓋を示した図であり、切断線IV−IVに沿って切断した際の断面図である。
【図２Ｄ】トレーを構成する蓋を示した図であり、下面図である。
【図３】トレーに光学部品を収容した状態の切断線I−I（III−III）に沿って切断した際の断面図である。
【発明を実施するための最良の形態】
【０００８】
以下、本発明の実施の形態について図面を参照して説明する。
図１〜図３に示すように、収容容器１００は、トレー１と、トレー１に重ね合わせられる蓋２と、を備えている。トレー１及び蓋２は、光学部品Ｌを傷付けにくく、軽量化、安価の観点から樹脂製とすることが好ましいが、金属製や木製としても構わない。光学部品Ｌとしては、眼鏡用やカメラ用、撮像素子用、光ピックアップ装置用等のレンズが挙げられるが、特に光ピックアップ装置用のレンズが好適である。【０００９】
トレー１は、上面視して略六角形状をなしている。トレー１は、光学部品Ｌが載置されるトレー本体１２と、トレー本体１２の外周縁で、当該トレー本体１２から一段低くなるように立ち下がって形成された鍔部１１と、を備えている。
トレー本体１２は、後述する蓋２に形成された凹部２３に嵌合するようになっている。
トレー本体１２には、トレー本体１２の上面１２aから下面１２b側に向けて窪む上面視円形状の凹部１３が複数形成されている。凹部１３は、トレー本体１２の縦方向及び横方向において格子状に整列して並んでいる。凹部１３は上面視円形状でなくても、その他、四角形状等であっても良い。このような凹部１３にはそれぞれ光学部品Ｌが載置されるようになっている。
各凹部１３の中央には、その上下面を貫通し、載置された光学部品Ｌの下側の光学面Ｌ２が配置される上面視円形状の貫通孔１４が形成されている。貫通孔１４は上面視円形状でなくても、その他、四角形状等であっても良い。
貫通孔１４は、トレー本体１２の下面１２b側に向けて直径が大きくなっており、貫通孔１４を形成する内壁面１４１は傾斜している。このように貫通孔１４をトレー本体１２の下面１２b側に向けて直径を大きくし、内壁面１４１を傾斜させることによって、トレー本体１２の下方から光学面Ｌ２に向けて蒸着等のコートが施し易くなる。また、貫通孔１４の径は、配置された光学部品Ｌの光学面Ｌ２が貫通孔１４を形成する内壁面１４１に干渉しないように設計してあり、光学面Ｌ２の傷や汚れを防止している。【００１０】
図１Ａに示すように、凹部１３の外周には、当該凹部１３から延出して溝部１５が形成されている。溝部１５は、光学部品Ｌの出し入れを行う際のピンセット用の溝として使用されるものである。
溝部１５は、各凹部１３の外周に等間隔に形成されている。そして、一つの凹部１３に形成された溝部１５は、その凹部１３の斜め方向において隣接する他の凹部１３に形成された溝部１５に繋がっている。
また、縦方向に一列に並ぶ凹部１３において、１個飛び毎の凹部１３の溝部１５に、リブ部１６が形成されている。さらに、横方向に一列に並ぶ凹部１３においても、１個飛び毎の凹部１３の溝部１５に、リブ部１６が形成されている。リブ部１６が形成された凹部１３は、当該凹部１３の斜め方向に隣接する他の凹部１３に対して、リブ部１６を挟んで溝部１５同士が繋がっている。なお、リブ部１６は、トレー１の反りを防止するために形成されているものである。
リブ部１６の上面には、凹部１３に配置された光学部品Ｌを特定するための目印１７が形成されている。【００１１】
目印１７は、上方に突出する凸部であっても良いし、下方に窪む凹部であっても良い。また、目印１７は、図１Ａでは上面視して円形状であるが、四角形状、三角形状、線状、点線、数字、文字等の形状であっても良い。
このような目印１７も、リブ部１６と同様に、縦方向に一列に並ぶ凹部１３において１個飛び毎の凹部１３の周囲に形成され、また、横方向に一列に並ぶ凹部１３においても１個飛び毎の凹部１３の周囲に形成されている。なお、リブ部１６及び目印１７は、１個飛び毎に限らず、２個飛び毎、又は、それ以上の間隔を空けて形成しても構わない。また、目印１７は、必ずしもリブ部１６に設ける必要はなく、凹部１３の周囲であればどこでも良い。
目印１７の形成方法は、凹凸等を刻印しても良いし、機械加工、シール、接着、ピン等を打ち込むことによって形成しても良い。【００１２】
鍔部１１には、トレー１を他の装置（図示しない）に対して位置決めするための位置決め用穴１８が上下を貫通して形成されている。
鍔部１１の左右側縁部（図１Ｄ中）には、互いに対向する位置に、クリップ留め凹部１１１が形成されている。クリップ留め凹部１１１は、トレー１と蓋２とを重ね合わせた後に、コの字型クリップ（図示しない）の凹部に、このクリップ留め凹部１１１を差し込んで、トレー１と蓋２が外れないようにするためのものである。
また、鍔部１１の前後側縁部（図１Ａ、図１Ｄ中）の略中央には、互いに対向する位置に、トレー１から蓋２を取り外す際に、指を入れて蓋を持ち上げるための指を入れる凹部１１３が形成されている。指を入れる凹部１１３において、蓋２の方がトレー１よりも若干大きくなっている（せり出ている）ので、指が掛けられるようになっている。
また、鍔部１１の前後側縁部で、指を入れる凹部１１３の両脇には、それぞれ互いに対向する位置に、トレー１を複数段重ねた後にゴムを掛けて、トレー１同士を保持するためのゴム掛け溝１１２が形成されている。
さらに、鍔部１１の前側縁部で、ゴム掛け溝１１２の近傍には、レンズ識別凹部１１４が形成されている。トレー１に収納するレンズの種類ごとにレンズ識別凹部１１４を設ける箇所をずらすことで、収容容器１００を側面から見たときでも、収容容器１００に収容されているレンズの種類を識別することができるようになっている。【００１３】
図２に示すように、蓋２は、上面視して六角形状をなしている。蓋２は、光学部品Ｌを覆う蓋体２２と、蓋体２２の外周縁で、当該蓋体２２から一段低くなるように立ち下がって形成された鍔部２１と、を備えている。
蓋体２２の下面には、略全面にかけて上面側に向けて窪んだ嵌合部２３が形成されている。嵌合部２３は、下面視して略六角形状に形成されており、図示しないが、トレー１に蓋２を重ね合わせた際に、嵌合部２３にトレー本体１２が嵌合するようになっている。したがって、この嵌合部２３の平面形状は、トレー本体１２の平面形状よりも一回り大きく形成されている。
蓋体２２には、蓋体２２の上面２２aから下面２２b側に向けて貫通する上面視円形状の貫通孔２４が複数形成されている。貫通孔２４は、蓋体２２の縦方向及び横方向において格子状に整列して並んでいる。貫通孔２４は上面視円形状でなくても、その他、四角形状等であっても良い。
貫通孔２４は、蓋体２２の上面２２a側に向けて直径が大きくなっており、貫通孔２４を形成する内壁面２４１は傾斜している。このように貫通孔２４を蓋２２の上面２２a側に向けて直径を大きくし、内平面２４１を傾斜させることによって、蓋体２２の上方からレンズ面Ｌ１に向けて蒸着等のコートが施し易くなる。また、貫通孔２４の径は、配置された光学部品Ｌの光学面Ｌ１が貫通孔２４を形成する内壁面２４１に干渉しないように設計してあり、光学面Ｌ１の傷や汚れを防止している。【００１４】
鍔部２１には、蓋２を他の装置（図示しない）に対して位置決めするための位置決め用穴２８が形成されている。位置決め用穴２８は、トレー１に形成された位置決め用穴１８に対応する位置にそれぞれ形成されている。
また、鍔部２１の左右側縁部（図２Ａ中）には、互いに対向する位置に、クリップ留め凹部２１１が形成されている。クリップ留め凹部２１１は、トレー１と蓋２とを重ね合わせた後に、コの字型のクリップの凹部に、このクリップ留め凹部２１１を差し込んで、トレー１と蓋２が外れないようにするためのものである。
さらに、鍔部２１の前側縁部（図２Ａ中）には、レンズ識別凹部２１４が形成されている。このレンズ識別凹部２１４は、トレー１に形成された識別凹部１１４と同様のもので、トレー１に収納するレンズの種類ごとにレンズ識別凹部２１４を設ける箇所をずらすことで、収容容器１００を側面から見たときでも、収容容器１００に収容されているレンズの種類を識別することができるようになっている。【００１５】
次に、上述の収容容器１００に光学部品Ｌを収容する方法について説明する。
図３に示すように、トレー１の凹部１３に光学部品Ｌを載置する。これによって光学部品Ｌの下側の光学面Ｌ２が貫通孔１４に配置される。そして、トレー１に蓋２を重ね合わせる。このとき、トレー本体１２が蓋２の嵌合部２３に嵌合し、光学部品Ｌの上側の光学面Ｌ１が蓋２側の貫通孔２４に配置される。このようにして光学部品Ｌが収容される。また、トレー本体１２と蓋２を嵌合する際、トレー本体１２に設けられた凸状の位置出しピン１９を、蓋２に設けられた貫通した位置出し孔２９に差し込むことにより、トレー本体１２と蓋２との正確な位置合わせを行っている。
なお、例えば光学部品Ｌの検査等を行う場合には、蓋２を取り外して顕微鏡等で観察すれば良い。このとき、目印１７によって、観察中の光学部品Ｌがトレー１上のどの位置にあるのかを認識・特定することができる。【００１６】
以上、本発明の実施形態によれば、トレー本体１２の凹部１３の周囲に、当該凹部１３内に収容された光学部品Ｌを特定するための目印１７が形成されているので、複数の光学部品Ｌが収容されたトレー本体１２において光学部品Ｌを顕微鏡で拡大倍率等で観察する際に、目印１７によって顕微鏡で見ている光学部品Ｌが、トレー本体１２に収容されている光学部品Ｌのうち、どれが現物の光学部品Ｌであるかを容易に判別することができる。
特に、顕微鏡で見ている光学部品Ｌをトレー本体１２上で特定しようとして迷うのは２〜４個位であるから、縦横方向においてそれぞれ一個飛び毎の凹部１３の周囲に目印１７を形成することによって、顕微鏡で見ている光学部品Ｌの現物がどれであるかを特定し易くなる。
トレー本体１２に設けられた凹部１３には、その上下を貫通する貫通孔１４が形成されているので、凹部１３に光学部品Ｌを収容した際に、当該貫通孔１４から光学部品Ｌの下側の光学面Ｌ１が露出され、貫通孔１４を介して蒸着等のコート処理を施すことができる。また、蓋２においても、蓋体２２の上下面を貫通する貫通孔２４が形成されているので、当該貫通孔２４から光学部品Ｌの上側の光学面Ｌ２が露出され、貫通孔２４を介して蒸着等のコート処理を施すことができる。
また、貫通孔１４，２４の直径が下方に向けて大きくなるように、貫通孔１４，２４を形成する内壁面１４１，２４１が傾斜しているので、当該壁面１４１，２４１を垂直に形成した場合に比べて、光学部品Ｌの光学面Ｌ１，Ｌ２の外周縁まで、確実に蒸着等のコート処理を施すことができる。
トレー本体１２に設けられた凹部１３には、光学部品Ｌの出し入れを行うための溝部１５が凹部１３に連通して形成されているので、溝部１５を使用して光学部品Ｌの外周をピンセット等で挟みこむことにより光学部品Ｌの出し入れを容易に行うことができる。【００１７】
なお、本発明は上記実施形態に限定されるものではなく、その要旨を逸脱しない範囲で適宜変更可能である。
例えば、上記実施形態では、トレー１及び蓋２に貫通孔１４，２４を形成して蒸着等のコートを行えるようにしたが、光学部品Ｌを収容するためだけの用途としても良く、その場合には、貫通孔１４，２４を形成しなくても良い。
また、ピンセット用の溝１５も特に形成しなくても良い。【００１８】
また、上記実施形態では、トレー１と、トレー１に重ね合わせる蓋２と、を備えた構成の収容容器１００としたが、蓋２を設けずに、トレー１のみを複数段重ね合わせた構成の収容容器としても良い。【００１９】
また、蓋２にも、トレー１に形成した目印１７と同様の目印１７を貫通孔２４の周囲に形成するようにしても良い。この場合は、蓋２をした状態のまま、顕微鏡で光学部品Ｌを観察した際に、顕微鏡で見ている光学部品Ｌがトレー１に収容されている実際の光学部品Ｌのどれに相当するのかを容易に判別することができる。【００２０】
また、トレー１や蓋２に形成された凹部１３や貫通孔１４，２４の個数は、図１や図２に示す場合に限らず、縦方向又は横方向に１列以上設ければ良い。
さらに、トレー１や蓋２の形状は上述したものに限らず、上面視して正方形、長方形、円形、楕円形、異形状等、適宜変更可能であり、トレー１や蓋２の色も問わない。
【符号の説明】
【００２１】
１  トレー
２  蓋
１２  トレー本体
１２a  上面
１２b  下面
１３  凹部
１４  貫通孔
１５  溝部
１７  目印
１４１  内壁面
Ｌ  光学部品
【図１Ａ】
2012026248.tif 000003
【図１Ｂ】
2012026248.tif 000004
【図１Ｃ】
2012026248.tif 000005
【図１Ｄ】
2012026248.tif 000006
【図２Ａ】
2012026248.tif 000007
【図２Ｂ】
2012026248.tif 000008
【図２Ｃ】
2012026248.tif 000009
【図２Ｄ】
2012026248.tif 000010
【図３】
2012026248.tif 000011
【国際調査報告】
2012026248.tif 000012
2012026248.tif 000013
2012026248.tif 000014
2012026248.tif 000015